(57)【要約】【課題】  この発明は、既成の柱、軒先の横桁などに、簡単に取付けることが出来る幟旗等の掲吊具を提供することを目的としている。 【解決手段】  幟旗などを掲吊する横長の支持杆２の基端部に、縦長の固定具３が固定され、固定具３には、締結帯４が装着されている幟旗等の掲吊具１。  【選択図】    図１
2005156814.tif 000002
【特許請求の範囲】
【請求項１】
幟旗などを掲吊する横長の支持杆の基端部に、縦長の固定具が固定され、固定具には、締結帯が装着されていることを特徴とする幟旗等の掲吊具。
【請求項２】
前記固定具は、平面で左右の広がりを有する基体の前面において、縦中間部に、前方に開口を有する取付部が突設され、該取付部に支持杆が装着され、取付部の上下にそれぞれ取付板が形成され、取付板に締結帯が装着されていることを特徴とする、請求項１に記載された幟旗等の掲吊具。  
【請求項３】
前記固定具は、基体の後面に滑止めの凹凸が形成されている事を特徴とする、請求項２に記載された幟旗等の掲吊具。
【請求項４】
前記固定具の基体後部には、弾性素材からなる当接具が装着されていることを特徴とする、請求項１〜３のいずれかに記載された、幟旗等の掲吊具。
【請求項５】
前記当接具は、平面において中央部を厚くし、左右側部を薄くして、左右側部は、固定具基体の幅より広く設定されている事を特徴とする、請求項４に記載された、幟旗等の掲吊具。
【請求項６】
前記当接具は着脱自在に形成され、固定具の前部から左右に振分けた締結帯の先端部が、当接具の左右側部の外側から内方へ貫通して装着されていることを特徴とする、請求項５に記載された幟旗等の掲吊具。
【発明の詳細な説明】
【技術分野】
【０００１】
本発明は、幟旗等の掲吊具に係り、特に既成の柱などに簡単に装着することができて、向きを自由に変えることの出来る、幟旗等の掲吊具に関する。
【背景技術】
【０００２】
従来、例えば祭礼などの幟旗などを掲揚する場合、ポールを地面や床に立てて、ポールに幟旗などを掲揚している。    
【発明の開示】
【発明が解決しようとする課題】
【０００３】
前記ポールを立てるには、ポールの固定をしなければならず、作業労力などが必要となる。またポールが人の通行に邪魔になるという問題があった。この発明は、既成の柱、軒先の横桁などに、簡単に取付けることが出来る幟旗等の掲吊具を提供することを目的としている。
【課題を解決するための手段】
【０００４】
この発明は、前記課題を解決し目的を達成するために、横長支持杆の基端部に当接体を装着し、当接体には締結帯を配設した。発明の具体的な内容は次の通りである。
【０００５】
(1)  幟旗などを掲吊する横長の支持杆の基端部に、縦長の固定具が固定され、固定具には、締結帯が装着されている幟旗等の掲吊具。
【０００６】
(2)  前記固定具は、平面で左右の広がりを有する基体の前面において、縦中間部に、前方に開口を有する取付部が突設され、該取付部に支持杆が装着され、取付部の上下にそれぞれ取付板が形成され、取付板に締結帯が装着されている、前記(1)に記載された幟旗等の掲吊具。  
【０００７】
(3)  前記固定具は、基体の後面に滑止めの凹凸が形成されている、前記(2)に記載された幟旗等の掲吊具。
【０００８】
(4) 前記固定具の基体後部には、弾性素材からなる当接具が装着されている、前記(1)〜(3)のいずれかに記載された、幟旗等の掲吊具。
【０００９】
(5)  前記当接具は、平面において中央部を厚くし、左右側部を薄くして、左右側部は固定具基体の幅より広く設定されている、前記(4)に記載された、幟旗等の掲吊具。
【００１０】
(6)  前記当接具は着脱自在に形成され、固定具の前部から左右に振分けた締結帯の先端部が、当接具の左右側部の外側から内方へ貫通して装着されている、前記(5)に記載された幟旗等の掲吊具。    
【発明の効果】
【００１１】
本発明によると次のような効果がある。
(1)  請求項１に記載された発明の幟旗等の掲吊具は、支持杆の基端部の固定具の後面を、既成のポールや横桁等に当接して、固定具の締結帯をポールや横桁に締め付けると、固定具がポールや横桁に強固に装着され、支持杆は水平に維持される。支持杆には幟や旗などを掲げ吊ることができる。締結帯を解けば、容易に幟旗等の掲吊具を取外すことができる。幟旗等の掲吊具は、既設のポールや横桁などに固定することができるので、邪魔にならない。
【００１２】
(2)  請求項２に記載された発明の幟旗等の掲吊具は、固定具が、平面で左右の広がりを有する基体の前面において、縦中央部に、前方に開口を有する取付部が突設され、該取付部に支持杆が装着され、取付部の上下にそれぞれ取付板が形成され、取付板に締結帯が装着されているので、取付板をポールなどに当接して締結帯をポールや横桁に締め付けると、基体は縦長なので支持杆が水平に維持されて安定する。取付板に締結帯が装着されているので、締結帯は固定体の前部から後部へと強く締結することができる。  
【００１３】
(3)  請求項３に記載された発明の幟旗等の掲吊具は、固定具の基体の後面に、滑止めの凹凸が形成されているので、基体をポール等に固定するとき、滑りにくい。また基体の後部に当接具などを介在させるとき、当接具などが滑りにくい。
【００１４】
(4)  請求項４に記載された発明の幟旗等の掲吊具は、固定具の基体後部に、弾性素材からなる当接具が装着されているので、当接具を介在させた状態で幟旗等の掲吊具をポールなどに装着でき、安定した取付ができると共に、ポールなどを損傷させにくい。
【００１５】
(5)  請求項５に記載された発明の幟旗等の掲吊具は、当接具が、平面において中央部を厚くし、左右側部を薄くして、左右側部は固定具の基体の幅より広く設定されているので、当接具の側部を、ポールなどに巻き付けるようにして、幟旗等の掲吊具を取付けることができる。
【００１６】
(6)  請求項６に記載された発明の幟旗等の掲吊具は、当接具が着脱自在に形成され、固定具の前部から左右に振分けた締結帯の先端部が、当接具の左右側部の外側から内方へ貫通して装着されているので、硬質の固定具と軟質弾性のある当接具とを別体で効率良く製造することができ、軟質弾性のある当接具をポールなどに当接させるので、ポールなどを損傷させず、強い締付をすることができる。
【発明を実施するための最良の形態】
【００１７】
押出成形で支持杆を成形し、型成形で固定具を形成して、固定具の基体前面に、取付孔を有する取付部を形成して、取付部に支持杆の基端部を嵌合させる。取付部に締結帯を装着する。
【実施例１】
【００１８】
本願発明の実施の形態例を、図面を参照して説明する。図１は本発明に係る幟旗等の掲吊具の平面図、図２は側面図、図３はポールに取付けた幟旗等の掲吊具の平面図である。
【００１９】
図において幟旗等の掲吊具(1)は、支持杆(2)と、支持杆(2)の基端部に装着される固定具(3)とから構成されている。  
【００２０】
支持杆(2)は、合成樹脂製の主部(2a)の先端部に、先蓋(2b)が被着されている。主部(2a)の長さは例えば３０ｃｍ〜８０ｃｍ、直径は例えば１０ｍｍ〜２０ｍｍ。主部(2a)の基端部は、固定具(3)に固定されている。図中符号(2c)は幟旗などの紐を通す紐孔である。
【００２１】
該支持杆(2)は、押出成形とし、管体にすることができる。断面は円形、楕円形、方形、略三角形、変形など任意の形に形成することができる。また、多色の一体押出成形により、色縞状に形成することができる。
【００２２】
固定具(3)は、平面において側部が後方へ湾曲した板状の基体(3a)の、側面における高さが、例えば５ｃｍ〜１５ｃｍで、側面において基体(3a)前部の縦中間部に、前記支持杆(2)の基端部を嵌装する取付部(3b)が形成されている。
【００２３】
取付部(3b)は、前部に開口を有する管体に形成され、その上下部に取付板(3c)が形成されている。該取付板(3c)には側面において、それぞれ側方へ貫通する紐孔(3d)が形成されている。該紐孔(3d)には、固定具(3) を既成のポールなどに固定するための締結帯(4)が装着されている。
【００２４】
締結帯(4)は、原則的には、どのようなものでも良いが、図においては、例えば幅８ｍｍ程度の樹脂帯が示され、端部に嵌合部(4a)が形成されている。嵌合部(4a)には樹脂帯の通る挿孔に舌体（図示せず）が形成され、該舌体が樹脂帯側面の凹凸に噛合して止める。
【００２５】
図３は、幟旗等の掲吊具(1)を、既成のポール(Ｐ)に取付けた状態を示す要部平面図である。締結帯(4)を締めることにより、固定具(3)の後部がポール(Ｐ)に固定される。
この場合、固定具(3)の基体(3a)の後面に、任意の滑止材ないしクッション材を配設することにより、強固に固定させることができる。
【００２６】
上記の構成で、支持杆(2)の主部(2a)に、例えば図示しない幟旗などを吊下げる。幟旗等の紐を主部(2a)の紐孔(2c)に貫通させて結び付けることにより、風が吹いても幟旗などが飛ぶことはない。
【００２７】
図１においては、幟旗等の掲吊具(1)の平面を示しているが、これを側面として見る態様にポールなどに取付けることができ、軒先などの横桁などにも固定させることができる。また傾斜した柱、ポール等にも固定することができる。商店街での売り出しで、提灯や宣伝垂幕等も掲吊することができる。
【実施例２】
【００２８】
図４は、本発明の第２実施例を示す、幟旗等の掲吊具(1)の要部平面図である。前例と同じ部位には、同じ符号を付して説明を省略する。図４において、固定具(3)の基体(3a)の後面に、弾性樹脂材からなる、当接体(5)が接着されている。
【００２９】
当接体(5) の弾性樹脂材としては、例えばゴム系、発泡樹脂、布付き樹脂などで、端部に紐孔(5a)が形成されている。図３に示すように、紐孔(5a)に締結帯(4)を貫通させて、ポールなどに固定すると、固定具(3)のずれが生じないし、ポール（Ｐ）の表面を傷付けない。
【実施例３】
【００３０】
図５は、本発明の第３実施例を示す、幟旗等の掲吊具(1)の要部平面図である。前例と同じ部位には、同じ符号を付して説明を省略する。図５において当接体(5)は、着脱自在に形成されている。固定具(3)の基体(3a)の後面に凹凸(3e)を形成し、当接体(5)の前面にも凹凸(5b)を形成して、それぞれの凹凸(3e)(5b)を対接させることによって、上下左右方向への滑りが抑止される。
【実施例４】
【００３１】
図６は、本発明の第４実施例を示す、幟旗等の掲吊具(1)の要部平面図である。前例と同じ部位には、同じ符号を付して説明を省略する。この実施例においては、固定具(3)の基体(3a)の後面に、着脱自在に装着する当接体(5)の前部に、固定具(3)の基体(3a)前部を覆うための被板(5c)を形成したものである。
【００３２】
これによって、図６で締結帯(4)を締めると、固定具(3)の基体(3a)は、当接体(5)の被板(5c）で覆われて後方へ締められるので、基体(3a)と当接体(5)とが強く固定されることになり、
幟旗等の掲吊具(1)をポールなどに強固に固定させることができる。
なお図中符号(5d)は、副板である。前記副板(5d)は、締結帯(4) を押さえつけるので、幟旗等の掲吊具(1) の持歩き時に、締結帯(4)の脱落が抑止される。
【００３３】
なおこの発明は、前記実施例に限定されるものではなく、目的に沿って適宜設計変更をすることができる。
【産業上の利用可能性】
【００３４】
祭礼などで使用する幟旗や、提灯、商店街の売り出し宣伝垂れ幕、万国旗などの掲げ吊りに使用することができる。  
【図面の簡単な説明】
【００３５】
【図１】本発明に係る幟旗等の掲吊具図の平面図である。
【図２】本発明に係る幟旗等の掲吊具図の側面図である。
【図３】本発明に係る幟旗等の掲吊具図の使用状態を示す平面図である。
【図４】本発明第２実施例を示す幟旗等の掲吊具図の平面図である。
【図５】本発明第３実施例を示す幟旗等の掲吊具図の平面図である。
【図６】本発明第４実施例を示す幟旗等の掲吊具図の平面図である。
【符号の説明】
【００３６】
(1)幟旗等の掲吊具
(2)支持杆
(2a)主部
(2b)先蓋
(2c)紐孔
(3)固定具
(3a)基体
(3b)取付部
(3c)取付板
(3d)紐孔
(3e)凹凸
(4)締結帯
(4a)嵌合部
(5)当接具
(5a)紐孔
(5b)凹凸
(5c)被板
(5d)副板
【図１】
2005156814.tif 000003
【図２】
2005156814.tif 000004
【図３】
2005156814.tif 000005
【図４】
2005156814.tif 000006
【図５】
2005156814.tif 000007
【図６】
2005156814.tif 000008